(57)【特許請求の範囲】
【請求項１】
二系統のＡＣ電源入力端子を有し、ＡＣ入力電源をＡＣ／ＤＣ変換部でＤＣ電源に変換して情報処理装置へ電源供給する情報処理装置のＡＣ二系統受電システムにおいて、
前記ＡＣ／ＤＣ変換部を二系統共通の一つのＡＣ／ＤＣ変換部として、その入力側を前記二系統のＡＣ電源入力端子とワイアード接続したこと、
前記二系統のＡＣ電源入力端子からのＡＣ入力電源の位相差を検出して位相調整値を出力する位相制御手段と、この位相制御手段からの位相調整値に基づいて前記二系統のＡＣ電源入力端子からのＡＣ入力電源のいずれか一方の位相を調整する位相調整回路とからなり、前記ＡＣ／ＤＣ変換部へ入力される前記二系統のＡＣ電源入力端子からのＡＣ入力電源の位相を調整する位相調整手段を備えたこと、
前記位相調整回路にて位相調整されない側の系統のＡＣ電源入力端子とＡＣ／ＤＣ変換部との間をオン・オフするリレーを有し、このリレーは前記二系統のＡＣ入力電源の位相が同期するとオン状態になること
を特徴とする情報処理装置のＡＣ二系統受電システム
【請求項２】
前記リレーは、前記位相調整回路にてオン・オフ制御されることを特徴とする請求項１に記載のＡＣ二系統受電システム。
【請求項３】
前記位相制御手段は、前記情報処理装置の中央制御部の機能としてこれに含まれていることを特徴とする請求項１または２に記載のＡＣ二系統受電システム。
【発明の詳細な説明】
【技術分野】
【０００１】
本発明は、ＡＣ電源をＤＣ電源に変換して情報処理装置へ電源供給するに当たり、二系統のＡＣ電源入力を有するＡＣ二系統受電システムに関する。
【背景技術】
【０００２】
図２は、従来のこの種のＡＣ二系統受電システムを示す。
図２において、通常の情報処理装置の運用においては、情報処理装置１０１は、サービスプロセッサ５を含む中央制御部１０２と標準電源部１０３で構成される。情報処理装置１０１をＡＣ二系統受電対応にする場合は、増設電源部１０４を追加し、標準電源部１０３のＡＣ／ＤＣ変換部３と標準電源部１０３のＡＣ／ＤＣ変換部４の出力同士を、線１３と線１４でワイアードオア接続させている。また、標準電源部１０３のＡＣ／ＤＣ変換部３は線１１で第１のＡＣ電源入力端子１０５に接続され、増設電源部１０４のＡＣ／ＤＣ変換部４は線１２で第２のＡＣ電源入力端子１０６に接続されている。
【０００３】
しかしながら、この従来のＡＣ二系統受電システムにおいては、増設電源部１０４を追加するため、電源部全体のハードウェア量が倍増するという欠点がある。
また、ＡＣ／ＤＣ変換部の出力側であるＤＣ電源をワイアード接続しているため、ＡＣ／ＤＣ変換部が二系統のそれぞれに必要となり、電源部内部のハードウェア量も大きくなるという問題があった。
また、二系統のＡＣ電源をワイアード接続すると、二系統の位相差による電圧差が生じ、ショートしてしまうという問題もあった。
【０００４】
ＡＣ二系統受電システムに関するその他の従来例として、特許文献１（実開平６−２９３４９号公報）や特許文献２（特開２００４−５６８８８号公報）や特許文献３（特開昭６３−１５４０２３号公報）や特許文献４（特開平３−１３５３４０号公報）に記載のものがあるが、これらは、本発明が解決しようとしている課題から見て、比較するまでもない技術であるため、その説明は省略する。
【特許文献１】実開平６−２９３４９号公報
【特許文献２】特開２００４−５６８８８号公報
【特許文献３】特開昭６３−１５４０２３号公報
【特許文献４】特開平３−１３５３４０号公報
【発明の開示】
【発明が解決しようとする課題】
【０００５】
本発明の課題は、電源部のハードウェア量を削減して小型化・低価格化を図るとともに、二系統のＡＣ入力電源の位相差による問題も解消することにある。
【課題を解決するための手段】
【０００６】
＜請求項１に係る発明＞
本発明のＡＣ二系統受電システムは、ＡＣ／ＤＣ変換部を二系統共通の一つのＡＣ／ＤＣ変換部として、その入力側を二系統のＡＣ電源入力端子とワイアード接続したこと、ＡＣ／ＤＣ変換部へ入力される二系統のＡＣ電源入力端子からのＡＣ入力電源の位相を調整する位相調整手段を備えたことを特徴とする。
【０００７】
＜請求項２に係る発明＞
位相調整手段は、二系統のＡＣ電源入力端子からのＡＣ入力電源のいずれか一方の位相を調整する位相調整回路と、二系統のＡＣ電源入力端子からのＡＣ入力電源の位相差を検出して、位相調整回路に位相調整値を出力する位相制御手段とで構成できる。
【０００８】
＜請求項３に係る発明＞
位相調整回路にて位相調整されない側の系統のＡＣ電源入力端子とＡＣ／ＤＣ変換部との間をオン・オフするリレーを備え、このリレーを位相調整回路にてオン・オフ制御するとよい。
【０００９】
＜請求項４に係る発明＞
位相制御手段は、情報処理装置の中央制御部の機能としてこれに含めることができる。
【発明の効果】
【００１０】
＜請求項１に係る発明の効果＞
本発明によれば、二系統のＡＣ入力電源をＡＣ／ＤＣ変換部の入力側でワイアード接続し、二系統のＡＣ／ＤＣ変換部を一つに共通化したので、ＡＣ二系統受電時の電源部ハードウェア量を削減できることにより、情報処理装置の小型化、低価格化を実現できる。
また、二系統のＡＣ入力電源の位相差による問題を解消できる。
【００１１】
＜請求項２に係る発明の効果＞
二系統のＡＣ入力電源の位相差を簡略な構成でなくすことができる。
【００１２】
＜請求項３に係る発明の効果＞
二系統のＡＣ入力電源の位相が同期するまでは、片側一系統でＤＣ電源を供給することが可能となるので、位相差による問題を電源投入時にも解消できる。
【００１３】
＜請求項４に係る発明の効果＞
位相制御手段としての機能を、情報処理装置の中央制御部で行うことにより、ハードウェア量の一層の削減が可能である。
【発明を実施するための最良の形態】
【００１４】
次に、本発明の実施例を図面に基づいて詳細に説明する。
【実施例】
【００１５】
図１に本発明の一実施例を示す。
同図において、情報処理装置１０１は、中央制御部１０２と一つの電源部１０３とに分割される。電源部１０３には、二系統に共通な一つのＡＣ／ＤＣ変換部３と、位相調整およびリレーのオン／オフ機能を有する位相調整回路２とが備わっている。
【００１６】
第１と第２の二系統のＡＣ電源入力端子１０５・１０６よりＡＣ電源が供給され、それぞれ線１１および線１２を通じて、電源部１０３に入力される。また、線１１，１２は、中央制御部１０２内のサービスプロセッサ５にある位相制御手段１にも入力される。位相制御手段１は、線１１，１２より第１と第２のＡＣ電源入力端子１０５・１０６の間のＡＣ入力電源の位相差を検出し、線１３を通じて、位相調整回路２に位相調整値を送出する。
【００１７】
位相調整回路２は、線１１から入力される第１のＡＣ電源入力端子１０５からのＡＣ入力電源の位相を、線１３より入力される第２のＡＣ電源入力端子１０６からのＡＣ入力電源よりも位相調整値の分だけ遅延させて、線１５を通じて出力すると同時に、第２のＡＣ電源入力端子１０６とＡＣ／ＤＣ変換部３との間に接続されたリレー６を、線１４を通じてＯＮさせる。このような位相調整回路２は、当業者にとってよく知られているため、その詳細な構成は省略する。
【００１８】
リレー６がＯＮ状態になると、第２のＡＣ電源入力端子１０６からのＡＣ電源が線１６を通じて、線１５とワイアード接続（ＯＲ接続）される。ＡＣ／ＤＣ変換部３は、ＯＲされた線１５のＡＣ入力電源を入力し、線１７を通じて、ＤＣ電源を中央制御部１０２に供給する。
【００１９】
次に、この実施例における情報処理装置起動時の動作を説明する。
１）  情報処理装置１０１を起動するために、二系統のＡＣ電源入力端子１０５・１０６からＡＣ入力電源が供給される。第１のＡＣ電源入力端子１０５側は、線１１を通じて位相調整回路２に入力されるが、この時点では線１３からの入力がないため、位相を遅らせることなく、線１５からＡＣ／ＤＣ変換部３に出力する。ＡＣ／ＤＣ変換部３は、線１７を通じて、ＤＣ電源を中央制御部１０２に供給する。
【００２０】
一方、第２のＡＣ電源入力端子１０６側のＡＣ入力電源は、装置起動時はリレー６がＯＦＦ状態のため、線１６から出力されない。
【００２１】
２）  線１７からのＤＣ電源供給により、中央制御部１０２が起動し、サービスプロセッサ５の位相制御手段１が動作する。位相制御手段１は、線１１，１２から入力される位相信号から、二系統のＡＣ入力電源の間の位相差を検出し、線１３を通じて、位相調整回路２に対して、位相調整値を出力する。
【００２２】
３）  位相調整回路２は、線１３より入力された位相調整値だけ第１のＡＣ電源入力端子１０５側の位相をずらし、線１５から出力する。これにより、二系統のＡＣ入力電源の位相は同期される。それと同時に、線１４を通じて、リレー６をＯＮ状態にする。
【００２３】
４）  リレー６がＯＮ状態になったことで、第２のＡＣ電源入力端子１０６側のＡＣ電源が線１６から出力され、線１５とワイアード接続（ＯＲ接続）される。
【００２４】
５）  以上で、情報処理装置１０１の起動は完了し、ＡＣ二系統受電が実現する。
この後、二系統のＡＣ入力電源のうち、いずれかの系統に異常が発生しても、もう方系統のＡＣ入力電源により、情報処理装置１０１は停止することなく、動作可能となる。
【図面の簡単な説明】
【００２５】
【図１】本発明の実施例を示すブロック図である。
【図２】従来例を示すブロック図である。
【符号の説明】
【００２６】
１  位相制御手段
２  位相調整回路
３  ＡＣ／ＤＣ変換部
５  サービスプロセッサ
６  リレー
１１〜１７  線
１０１  情報処理装置
１０２  中央制御部
１０３  電源部
１０５・１０６  ＡＣ電源入力端子
【図１】
0004445931.tif 000002
【図２】
0004445931.tif 000003